(57)【要約】【課題】  画像形成装置に付加され、綴じ処理、折り処理、穿孔処理等のシート体の後処理を行う後処理装置において、該後処理装置と前記画像形成装置との間に、シート挿入装置などのオプション装置を、必要に応じて容易に追加できるようにするとともに、画像形成装置側の変更を必要とせず、低コストに追加できるようにする。【解決手段】  後処理装置６の画像形成装置１に対向する面に突出自在の支持手段６１，６２を設け、該後処理装置６と前記画像形成装置１との間を離間し、突出した前記支持手段６１，６２でシート挿入装置７を支持するとともに、搭載することで互いのコネクタが嵌着するようにしておき、電気的に接続する。したがって、前記シート挿入装置７の着脱が容易であり、また画像形成装置１は後処理装置６と接続されるだけで、着脱に伴う変更が必要とならず、低コストに構成することができる。【選択図】      図１
2005345541.tif 000002
【特許請求の範囲】
【請求項１】
画像形成装置に接続して使用されるシート体の後処理装置において、
前記画像形成装置に対向する面に突出自在とされた電気的な接続手段を具備する支持手段を有し、該後処理装置と前記画像形成装置との間を離間し、突出させた前記支持手段でオプション装置を支持するとともに、前記接続手段が電気的に接続することで、該後処理装置と前記画像形成装置との間に前記オプション装置を介挿可能にしたことを特徴とするシート体の後処理装置。
【請求項２】
前記接続手段は電気的な接続を可能とするコネクタを有し、前記コネクタは前記支持手段が前記オプション装置を支持することで、オプション装置側のコネクタと嵌着することを特徴とする請求項１記載のシート体の後処理装置。
【請求項３】
前記支持手段上には位置決めを行う係合部材を有し、前記係合部材は前記支持手段上に前記オプション装置が搭載されることで、オプション装置側の係合部材と係合することを特徴とする請求項１または２記載のシート体の後処理装置。
【請求項４】
前記支持手段上に前記オプション装置が搭載されることでオプション装置が支持手段に支持され、前記支持手段は、該後処理装置の側面から水平に伸長する載置台と、前記側面から斜めに前記載置台の遊端側を支持する補助支持部材とを備えて構成されることを特徴とする請求項１〜３のいずれか１項に記載のシート体の後処理装置。
【発明の詳細な説明】
【技術分野】
【０００１】
本発明は、複写機、プリンタ、ファクシミリ装置、或いはこれらの機能を併せ持つ、いわゆるデジタル複合機などの画像形成装置と接続して使用され、前記画像形成装置から排出されるシート体に対して、綴じ処理、折り処理、穿孔処理等の後処理を行うものに関する。
【背景技術】
【０００２】
前記複写機等の画像形成装置では、たとえば特許文献１等で示されるように、現在、画像形成されたシート体に対して、ステイプルで綴じる綴じ処理や、ファイリングのための穿孔処理、或いは綴じた用紙を折ったりする中折り処理などの種々の後処理を行う後処理装置が、オプションで追加可能となっている。
【０００３】
そして、そのような後処理装置を画像形成装置に接続するための接続装置は、たとえば特許文献２等で示されている。
【特許文献１】特開２００３−１１０８０６号公報
【特許文献２】特開２００２−１５６８０４号公報
【発明の開示】
【発明が解決しようとする課題】
【０００４】
しかしながら、上述の従来技術では、オプション装置を追加するたびに、新たに電気的な接続が必要となる。したがって、連動制御する画像形成装置には、コネクタなど、それら接続が予想されるオプション装置の総てに対応しておくか、または増設の際に何らかの変更の必要が生じ、コストが嵩むという問題がある。
【０００５】
また、たとえば前記の綴じ処理、折り処理、穿孔処理等を行う後処理装置に加えて、さらに表紙の挿入処理やシート体の反転処理を行う他のオプション装置を追加する場合のように、普段はあまり使わないような他のオプション装置を追加する場合、追加のたびに前記接続を行わなければならず、不要になると取外しを行わなければならず、セットアップに時間がかかり、作業が面倒であるという問題もある。なお、前記他のオプション装置を常設しておくことも考えられるが、占有スペースが増えて邪魔になるだけでなく、１段余計な搬送機構が介在することになり、ジャムの原因が増えたり、消費電力が増加することになる。また、通常の処理速度が遅くなる可能性もある。したがって、使用頻度の少ないオプション装置は、不使用時には取外しておくことが望ましい。
【０００６】
本発明の目的は、オプション装置を、必要に応じて容易に追加することができるとともに、画像形成装置側の変更が必要とならず、低コストに実現することができるシート体の後処理装置を提供することである。
【課題を解決するための手段】
【０００７】
本発明のシート体の後処理装置は、画像形成装置に接続して使用されるシート体の後処理装置において、前記画像形成装置に対向する面に突出自在とされた電気的な接続手段を具備する支持手段を有し、該後処理装置と前記画像形成装置との間を離間し、突出させた前記支持手段でオプション装置を支持するとともに、前記接続手段が電気的に接続することで、該後処理装置と前記画像形成装置との間に前記オプション装置を介挿可能にしたことを特徴とする。
【０００８】
上記の構成によれば、画像形成装置に付加され、綴じ処理、折り処理、穿孔処理等のシート体の後処理を行う後処理装置において、該後処理装置と前記画像形成装置との間にオプション装置を介挿するにあたって、ジャム処理などのために案内レールなどで前記画像形成装置から近接・離反変位可能となっている該後処理装置の前記画像形成装置に対向する面に、突出自在の支持手段を設ける。そして、その支持手段は、前記オプション装置を介挿しない場合は、非突出状態とされ、これによって該後処理装置が前記画像形成装置に直結され、シート体の搬送が可能になっている。これに対して、該後処理装置と前記画像形成装置との間に前記オプション装置を介挿する場合は、該後処理装置を前記画像形成装置から離間することで形成された空間に、前記支持手段が突出され、この支持手段によってオプション装置が支持されるとともに、該支持手段が具備する電気的な接続手段によって電気的に接続される。
【０００９】
したがって、前記オプション装置を、必要に応じて容易に追加することができるとともに、そのようにオプション装置をさらに追加可能とするにあたって、画像形成装置側は、通常通り後処理装置と接続されるだけで、電源や制御信号などは必要に応じて後処理装置から支持手段を介して与えられるので、画像形成装置側の変更が必要とならず、低コストに構成することができる。
【００１０】
また、本発明のシート体の後処理装置では、前記接続手段は電気的な接続を可能とするコネクタを有し、前記コネクタは前記支持手段が前記オプション装置を支持することで、オプション装置側のコネクタと嵌着することを特徴とする。
【００１１】
上記の構成によれば、前記支持手段には前記接続手段としてのコネクタが設けられており、これに対応して前記オプション装置にもコネクタが設けられており、支持手段を伸長してオプション装置を支持する際に、それらは相互に嵌着し、電源供給や制御信号の通信などが可能となる。
【００１２】
したがって、オプション装置を支持手段に接続するだけで、電気的な接続も完了し、前記オプション装置の着脱作業をさらに簡単に行うことができる。
【００１３】
さらにまた、本発明のシート体の後処理装置は、前記支持手段上には位置決めを行う係合部材を有し、前記係合部材は前記支持手段上に前記オプション装置が搭載されることで、オプション装置側の係合部材と係合することを特徴とする。
【００１４】
上記の構成によれば、前記オプション装置は前記支持手段上に搭載されることで支持され、たとえば係合ピンと係合凹所とのように、相互に係合して位置決めを行うことができる一対の係合部材が、前記他の処理装置と支持手段とに設けられている。
【００１５】
したがって、上下方向の位置決めは前記オプション装置を搭載する支持手段で行われ、水平方向の位置決めは前記係合部材で行われ、前記オプション装置を支持手段上に搭載するだけで、このオプション装置を、容易に高精度に位置決めすることができる。
【００１６】
また、本発明のシート体の後処理装置は、前記支持手段上に前記オプション装置が搭載されることでオプション装置が支持手段に支持され、前記支持手段は、該後処理装置の側面から水平に伸長する載置台と、前記側面から斜めに前記載置台の遊端側を支持する補助支持部材とを備えて構成されることを特徴とする。
【００１７】
上記の構成によれば、前記オプション装置は前記支持手段上に搭載されることで支持され、その支持構造を実現するにあたって、前記支持手段を、該後処理装置の側面から水平に伸長する載置台と、前記側面から斜めに前記載置台の遊端側を支持する補助支持部材とを備えて構成する。すなわち、前記載置台と、側面と、補助支持部材とは略三角形状を成し、補助支持部材が、側面において、載置台よりも、上方に取付けられた場合は前記載置台の遊端側は該補助支持部材に吊下げられて支持され、下方に取付けられた場合は前記載置台の遊端側は該補助支持部材に持上げられて支持される。
【００１８】
したがって、前記載置台の基端側にオプション装置の荷重が集中しないようにでき、前記載置台を簡素化することができる。
【発明の効果】
【００１９】
本発明のシート体の後処理装置は、以上のように、画像形成装置に付加され、綴じ処理、折り処理、穿孔処理等のシート体の後処理を行う後処理装置において、該後処理装置と前記画像形成装置との間にオプション装置を介挿するにあたって、前記画像形成装置に対向する面に突出自在の電気的な支持手段を具備する支持手段を設け、該後処理装置と前記画像形成装置との間を離間し、突出した前記支持手段でオプション装置を支持するとともに、接続手段で電気的に接続することで、該後処理装置と前記画像形成装置との間に前記オプション装置を介挿可能にする。
【００２０】
それゆえ、前記オプション装置を、必要に応じて容易に追加することができるとともに、そのようにオプション装置をさらに追加可能とするにあたって、画像形成装置側は、通常通り後処理装置と接続されるだけで、電源や制御信号などは必要に応じて後処理装置から支持手段を介して与えられるので、画像形成装置側の変更が必要とならず、低コストに構成することができる。
【発明を実施するための最良の形態】
【００２１】
図１は、本発明の実施の一形態に係る後処理装置６を備えて構成される画像処理システムの構成を示す図である。この画像処理システムは、大略的に、基本構成の画像形成装置１と、それにオプションで付設される前記後処理装置６およびシート挿入装置７とを備えて構成される。画像形成装置１は、後述するように電子写真方式で画像形成を行う、いわゆるデジタル複合機である。
【００２２】
オプション装置である前記後処理装置６は、画像形成された用紙に、綴じ処理、折り処理、穿孔処理等の後処理を行うものであり、ユーザ側に購入またはリース契約されると、常設となる。この後処理装置６は、画像形成装置１から延び、床面６７上に敷設された案内レール６８上を、車輪６９によって走行することで、画像形成装置１と近接・離反可能となっており、ジャム処理時や後述するシート挿入装置７の介挿時には画像形成装置１から離反し、前記シート挿入装置７が介挿されない時には画像形成装置１に近接し、排出された用紙を直接取り込む。この後処理装置６は、画像形成装置１との間を、そのような近接・離反変位を可能とする撓み変位自在のケーブル８によって電気的に接続され、電源供給や制御信号などのやり取りが行われる。
【００２３】
これに対して、他のオプション装置である前記シート挿入装置７は、前記後処理装置６において、綴じられる用紙束の表紙を供給するものであり、ユーザ側に購入またはリース契約されても、不使用時には、邪魔になり、また１段余計な搬送機構が介在することになり、ジャムの原因が増え、消費電力が増加するとともに、処理速度が遅くなるので、通常時には取外されており、必要な時にユーザによって装着される使用頻度の少ないオプション装置である。
【００２４】
図２は、前記画像形成装置１の内部構成を概略的に示す断面図であるが、この図２の構成は一構成例であり、これ以外にも種々の構成を採用することができる。画像形成装置１は、画像形成部１００を備えた本体部１０と、前記本体部１０の上方に設置された原稿給送部２００および原稿読取部３００と、本体部１０の下部に設置された給紙部４００と、本体部１０のフロント部に設置された操作表示部５００とを備えて構成されている。
【００２５】
前記原稿読取部３００は、原稿の読取りを行って当該原稿に対応する画像データを生成するものである。原稿読取部３００は、光学的に取得した原稿の画像から画像データを生成するＣＣＤ(Charge Coupled Device)センサおよび露光ランプ等を備えたスキャナ３０１などからなり、その上面にコンタクトガラス３０２，３０３を備えている。原稿読取部３００は、コンタクトガラス３０２上に載置された原稿、あるいは原稿給送部２００によってコンタクトガラス３０３に接するようにして搬送された原稿を走査しつつ、取得した画像データを図示省略の画像処理部へ出力する。
【００２６】
前記原稿給送部２００は、原稿読取部３００へ原稿を給送するものである。原稿給送部２００は、原稿載置部２０１、搬入ローラ等を備えた搬入駆動部２０２、搬送ローラ２０３、排出ローラ２０４、排紙台２０５、および原稿の有無を検出する原稿検出スイッチ２０６を備えており、原稿載置部２０１に載置された原稿を自動的に１枚ずつコンタクトガラス３０３に接触させつつ搬送し、原稿の露光走査後に排紙台２０５に排出する。また、原稿給送部２００は可倒式に構成されており、コンタクトガラス３０２の上面を開放するように上方に持上げられることによって、コンタクトガラス３０２の上面に、読取り原稿、例えば見開き状態にされた書籍等を載置することが可能に構成されている。
【００２７】
前記給紙部４００は、画像形成部１００に対して用紙の給紙を行うものである。給紙部４００は、各サイズの用紙（記録紙）が収納される給紙カセット４０１，４０２、および本体部１０の一側方部に開閉自在に構成された手差しトレイ４０３１等からなる手差し給紙部４０３を備えている。また、給紙部４００は、給紙カセット４０１，４０２から画像形成部１００へ用紙を搬送する搬送経路４０４、手差し給紙部４０３から画像形成部１００へ用紙を搬送する搬送経路４０５を備えている。各給紙カセット４０１，４０２および手差し給紙部４０３は、収納されている用紙を取出すためのピックアップローラ４０６，４０７，４０８、および用紙を１枚ずつ搬送経路に送り出す給紙ローラ４０９，４１０，４１１を備えている。
【００２８】
前記搬送経路４０４は、用紙を搬送する搬送ローラ４１２，４１３、および搬送されてきた用紙を画像形成部１００の手前で待機させるためのレジストローラ４１４を備えている。また、手差し用の搬送経路４０５は、レジストローラ４１４の上流側で搬送経路４０４と合流している。
【００２９】
前記画像形成部１００は、給紙部４００によって搬送されてきた用紙に対して所定の画像形成（印刷）を行うものである。画像形成部１００は、同図中に示す矢印方向に回転可能に支持された感光体ドラム１０１、この感光体ドラム１０１の周囲に配設された帯電部１０２、現像部１０３、クリーニング部１０４、レーザ走査ユニット１０５、転写ローラ１０６および定着ローラ１０７を備えている。
【００３０】
前記帯電部１０２は、感光体ドラム１０１の表面を所定電位に均一に帯電させるものである。レーザ走査ユニット１０５は、前記原稿読取部３００で読取られ、画像処理されたデータを図示しない画像記憶部から受信しそのデータに基づき、レーザービームを感光体ドラム１０１の表面に照射し、静電潜像を形成するものである。現像部１０３は、静電潜像にトナーを付着させて画像（原稿画像）を顕像化させるものである。転写ローラ１０６は、搬送されてきた用紙を感光体ドラム１０１に押し付けた状態で、感光体ドラム１０１上に顕像化したトナー像をこの用紙に転写するものである。定着ローラ１０７は、用紙に転写されたトナー像を定着させるものである。定着ローラ１０７は、ヒートローラおよび加圧ローラからなり、このヒートローラの熱によって用紙上のトナーを溶かし、加圧ローラによって圧力をかけてトナーを用紙上に定着させる。クリーニング部１０４は、用紙への画像の転写が終了した後、感光体ドラム１０１の表面に残留しているトナーを清掃するものである。
【００３１】
前記操作表示部５００は、ユーザの操作に応じて所定の指示入力を行うものである。操作表示部５００は、ユーザが印刷実行指示を入力するためのスタートキー５０１と、印刷部数等を入力するためのテンキー５０２と、各種複写動作の設定等を入力するための操作ガイド情報等を表示すると共に、パンチ処理、中綴じ処理及び中折り処理といった後処理の設定を入力するためのパンチ設定ボタン、中綴じ設定ボタン、中折り設定ボタン等、種々の操作ボタン等が表示される液晶表示器（ＬＣＤ）等からなる表示器５０３（ディスプレイ）とを備えている。
【００３２】
前記本体部１０の上部には、胴内の用紙排出部１０８が設けられており、定着ローラ１０７から搬送されてきた用紙は、排出ローラ１０９によってこの用紙排出部１０８に排出される。また、定着ローラ１０７から搬送されてきた用紙は、後処理の要求があった場合には、排出ローラ１１０によって本体部１０の外部の後処理装置６へ排出される。なお、用紙の搬送方向は、排出分岐ガイド１１１によって、排出ローラ１０９側と排出ローラ１１０側とに切替え可能に構成されている。
【００３３】
前記後処理装置６は、本体部１０において印刷処理された用紙に対してステイプル処理や中綴じ、中折り処理等の後処理を行うものである。そして、後処理装置６は、大略的に、前記排出ローラ１１０によって当該後処理装置６に搬入（排出）されて来た用紙に対してパンチ処理を行うパンチ処理部、当該搬入された用紙の搬送先を振分ける搬送路切替え部、排紙ローラからの用紙束の排出に適した位置に高さ調整され、前記パンチ処理部から搬送されてきた用紙が排出されるメイントレイ６４、ステイプル処理（中綴じ処理）を行うべく用紙を集積して用紙束を形成する集積部と、中綴じ処理等が行なわれた用紙束に中折り処理を行う中折り処理部とからなる後処理ユニット、前面側に配置され、中折りされた用紙束が排出される排出トレイなどを備えて構成される。そして、この前記後処理装置６に付設されるシート挿入装置７は、インサートシート（仕切り合紙）やカバーシート（表紙）を供給する給紙用トレイ７１を備えている。
【００３４】
上述のように構成される画像形成システムにおいて、注目すべきは、本発明の後処理装置６には、該後処理装置６と前記画像形成装置１との間を離間した状態で前記シート挿入装置７を搭載支持する一対の支持手段６１，６２が設けられていることである。図３〜図５は、前記支持手段６１，６２を拡大して示す図である。この支持手段６１，６２は、後処理装置６において、前記画像形成装置１に対向する面に突出自在に設けられる。図３は、前記支持手段６１，６２を引出した伸長状態を示す図であり、図４および図５は、前記支持手段６１，６２を押込んだ非突出状態を示す図である。これらの支持手段６１，６２は、略同様に構成されるので、以下では図面の角度的に認識し易い支持手段６１についてのみ説明する。
【００３５】
前記支持手段６１は、後処理装置６の画像形成装置１側の側面６ａから水平に突出する載置台６５と、前記側面６ａから斜めに前記載置台６５の遊端側を支持する補助支持部材６６とを備えて構成される。
【００３６】
前記載置台６５は、大略的に、前記側面６ａに形成された開口部６３の端部に一端が固着され、外方へ延びる軸直角断面がコの字状の案内部材６５ａと、前記案内部材６５ａ上を摺動可能であり、軸直角断面が略コの字状の摺動部材６５ｂとから成る。これらの案内部材６５ａおよび摺動部材６５ｂにおいて、適宜それらの一部分が袋状に形成されたり、摺動可能に連結するピンやリブを設けるなどして、摺動部材６５ｂの案内部材６５ａからの脱落防止や抜け止めが行われてもよい。前記摺動部材６５ｂの一方の鉛直面６５ｃの遊端側には、水平方向に延びる長孔６７が形成されており、この長孔６７に前記補助支持部材６６の一端に立設されたピン６６ａが摺動自在に嵌り込んでいる。したがって、このピン６６ａの頭部が変位可能なように、前記鉛直面６５ｃは段差部６５ｄを有し、前記案内部材６５ａにおいて対応する鉛直面６５ｅとの間に、移動空間６５ｆを形成している。
【００３７】
前記補助支持部材６６の他端に立設されたピン６６ｂは、案内レール６６ｃに形成された長孔６６ｄ内に摺動自在に嵌り込んでいる。前記案内レール６６ｃは、前記開口部６３の内方から外方へ延びて形成され、前記開口部６３内では水平に形成され、前記開口部６３外へ出ると垂下して形成される。一方、前記摺動部材６５ｂ側の長孔６７の中央部には上方に切り欠かれた固定凹所６７ａが形成されている。
【００３８】
したがって、上述のように構成される支持手段６１において、図４および図５で示すように摺動部材６５ｂが後処理装置６内に格納されている状態では、前記補助支持部材６６の一端に立設されたピン６６ａは長孔６７の前端側に位置し、他端に立設されたピン６６ｂは長孔６６ｄの後端側に位置し、該補助支持部材６６は略水平状態となっている。この状態から、前記摺動部材６５ｂが引出されると、ピン６６ａが摺動し、長孔６７の後端側に当接すると、補助支持部材６６の引出しが開始され、ピン６６ｂが長孔６６ｄ内を摺動変位する。摺動部材６５ｂが後処理装置６の最外方へ出た状態で、ユーザによって補助支持部材６６がさらに引出されると、図３で示すように、ピン６６ｂは、長孔６６ｄの水平部から垂下部へ嵌り込み、最下端に到達するまでに、ピン６６ａは少し後退し、前記固定凹所６７ａに嵌り込む。
【００３９】
これによって、前記載置台６５と、側面６ａと、補助支持部材６６とは略三角形状を成し、前記載置台６５は水平に支持され、その遊端側を補助支持部材６６が側面６ａから斜めに持上げて支持する。こうして、前記載置台６５に前記シート挿入装置７が搭載されても、該載置台６５の基端側にシート挿入装置７の荷重が集中しないようにでき、該載置台６５を簡素化することができる。前記補助支持部材６６の他端は、側面６ａにおいて、載置台６５よりも、上方に取付けられ、前記載置台６５の遊端側を吊下げ支持するようにしてもよい。
【００４０】
前記シート挿入装置７が不要になって取外されると、ユーザはピン６６ａを前記固定凹所６７ａから脱出させた後、補助支持部材６６の他端を持ち上げ、垂下部から水平部へ乗り上げさせる。その後、摺動部材６５ｂを押し込むことで、ピン６６ａが長孔６７の前端側に当接し、該補助支持部材６６は略水平状態で押し込まれてゆき、前記図４および図５で示す格納状態となる。
【００４１】
そしてまた注目すべきは、前記支持手段６１，６２の少なくとも一方には、コネクタ８０および係合ピン９０が設けられることである（図３および図４では、コネクタ８０は一方の支持手段６２のみに、係合ピン９０は支持手段６１，６２の両方に設けている）。
【００４２】
係合ピン９０は、前記シート挿入装置７が載置台６５に搭載されると、該シート挿入装置７側に設けられた係合凹所に嵌り込む。したがって、上下方向の位置決めは前記シート挿入装置７を搭載する支持手段６１，６２で行われ、水平方向の位置決めはこれらの係合ピン９０および係合凹所で行われ、前記シート挿入装置７を接続手段６１，６２の載置台６５上に搭載するだけで、このシート挿入装置７を、容易に高精度に位置決めすることができる。特に上下方向の位置は、用紙搬送に影響するので、重要である。
【００４３】
また、接続手段である前記コネクタ８０は、前記シート挿入装置７が載置台６５に搭載されると、該シート挿入装置７側に設けられたコネクタと相互に嵌着する。これによって、後処理装置６から前記ケーブル８を介して、画像形成装置１から電源供給や制御信号などの通信が可能となる。
【００４４】
以上のように、本発明の後処理装置６では、該後処理装置６と前記画像形成装置１との間にシート挿入装置７を介挿するにあたって、該後処理装置６を前記画像形成装置１から離反させ、引出した支持手段６１，６２の載置台６５上に前記シート挿入装置７を搭載するだけで、該シート挿入装置７が支持されるとともに、コネクタ８０によって電気的な接続も完了し、画像形成装置１と電気的に接続される。したがって、該シート挿入装置７を、必要に応じて容易に追加することができるとともに、そのようにシート挿入装置７をさらに追加可能とするにあたって、画像形成装置１側は、通常通り後処理装置６と接続されるだけで、電源や制御信号などは必要に応じて後処理装置６から支持手段６１，６２を介して与えられるので、画像形成装置１側の変更が必要とならず、低コストに構成することができる。
【００４５】
なお、前記シート挿入装置７の幅が広く、支持手段６１，６２の繰り出し量が大きかったり、該後処理装置６の重量の割に、シート挿入装置７の重量が重たかったりする場合は、該後処理装置６の画像形成装置１からの離反変位や、支持手段６１，６２の引出し操作に連動して、支持手段６１，６２の遊端部側や該後処理装置６の側面６ａから、転倒防止用の補助脚が床面６７に伸びるようにしてもよい。或いは、シート挿入装置７自体に、自重を前記支持手段６１，６２から分散するための脚部を設けるようにしてもよい。
【図面の簡単な説明】
【００４６】
【図１】本発明の実施の一形態に係る後処理装置を備えて構成される画像処理システムの構成を示す図である。
【図２】図１で示す画像形成装置の内部構成を概略的に示す断面図である。
【図３】本発明の実施の一形態に係る支持手段を拡大して示す図である。
【図４】本発明の実施の一形態に係る支持手段を拡大して示す図である。
【図５】本発明の実施の一形態に係る支持手段を拡大して示す図である。
【符号の説明】
【００４７】
１    画像形成装置
６    後処理装置
６ａ    側面
７    シート挿入装置
８    ケーブル
６１，６２    支持手段
６５    載置台
６５ａ  案内部材
６５ｂ  摺動部材
６６    補助支持部材
８０    コネクタ
９０    係合ピン
６７    床面
６８    案内レール
６９    車輪
１０    本体部
１００  画像形成部
１０１  感光体ドラム
２００  原稿給送部
３００  原稿読取部
４００  給紙部
５００  操作表示部
【図１】
2005345541.tif 000003
【図２】
2005345541.tif 000004
【図３】
2005345541.tif 000005
【図４】
2005345541.tif 000006
【図５】
2005345541.tif 000007